(57)【要約】【課題】対象者を特定せず、また、冊子には金具等を一切使わず、かつ、綴じこまれた紙片はリサイクルし易く、送付される個人情報が保護シールで保護される葉書付き冊子を提供する。【解決手段】前記課題の目的を達成するために、葉書を含む複数の紙片が綴じ合わされた冊子であって、それぞれの紙片は、線状、または、点状に形成された接着剤によって綴じ合わされ、葉書に記載された個人情報を隠すための保護シールが前記何れかの紙片に貼付された葉書付き冊子を提供する。【選択図】  図１
2006007722.tif 000002
【特許請求の範囲】
【請求項１】
葉書を含む複数の紙片が綴じ合わされた冊子であって、
それぞれの紙片は、線状、または、点状に形成された接着剤によって綴じ合わされ、
葉書に記載された個人情報を隠すための保護シールが前記何れかの紙片に貼付されたことを特徴とする葉書付き冊子。
【請求項２】
請求項１に記載の葉書付き冊子において、保護シールに形成されたシール剤は、再剥離、再貼付可能な粘着剤であることを特徴とする葉書付き冊子。
【請求項３】
請求項１に記載の葉書付き冊子において、葉書は、保護シールの1部で冊子に固定されたことを特徴とする葉書付き冊子。
【請求項４】
請求項１に記載の葉書付き冊子において、
紙片に形成された保護シールの形成構造が、ＵＶ（Ｕｌｔｒａｖｉｏｌｅｔ）またはＥＢ（Ｅｌｅｃｔｒｏｎ  Ｂｅａｍ）に代表される電離放射線硬化型インキと、水性接着剤との擬似接着構造であることを特徴とする葉書付き冊子。
【発明の詳細な説明】
【技術分野】
【０００１】
本発明は、葉書付き冊子に関し、詳しくは、葉書に記載された個人情報を隠すための保護シールが、冊子を構成する紙片に形成されたことを特徴とする葉書付き冊子に関する。
【背景技術】
【０００２】
近年、クレジットカード会社や、ビデオレンタル会社等では、リーフレットやチラシを使用して会員募集を行っている。
リーフレットは、通常Ａ４サイズ程度の大きさで、これに入会を勧める宣伝文や説明文が記載され、３つに折り畳まれて置いてある。
宣伝文や説明文が少ない場合は、１枚のリーフフレットで済むが、多い場合は冊子形状の宣伝物としている。
冊子形状の場合、多くは、綴じ部分にステープラー状の針金を用いている。これは、普及型の製本機の仕様によるもので、コスト面でも安く供給できるため、広く利用されている。
一方、針金で綴じる方式は、昨今の環境保護意識の高まりの中では、あまり歓迎されなくなってきている。
針金は、古紙を処理する際に、比重，磁気を利用して分別可能なために、大きな問題にはなっていないが、古紙を処理する業者側では、ロスが増え、回収効率が低下することから、できれば分別したくないと考えている。
また、このステープラー状の針金は、子供や老人にとっては問題で、例えば、リーフレットに綴じこんである申込はがきを取り出す際に、指先にけがをするという課題があった。
【０００３】
このような課題に対して、おもて表紙と、うら表紙からなる表紙の内側に、複数枚のカタログ紙片と１枚の注文書を綴じ合わせてなり、おもて表紙の表出面や裏面には、宛名などの各種情報を印字し、注文書には受領者の氏名等を印字し、カタログ紙片は、耐水性，筆記性を有するとともに、不透明度が、ＪＩＳ  Ｐ８１３８で８０％，重量が６２ｇ／ｍ2以下のポリエステル系合成紙からなり、商品の写真などを印刷した商品説明部、商品毎の申込番号を印刷した商品申込情報表示部、各種案内文を印刷した案内表示部の何れかを設けるカタログ冊子が提案されている（例えば、特許文献１参照）。
【０００４】
【特許文献１】特開平６−２８６３６１号公報
【発明の開示】
【発明が解決しようとする課題】
【０００５】
前記、特許文献１で開示されている技術には、環境に優しい要素が含まれていない。また、特定の個人に対して送付される冊子カタログである。
一方、個人情報が盗難にあったり、売買されたりで、毎日のように新聞紙上を賑わしている昨今、利用者は個人情報の取扱いに対し極めて敏感になってきている。したがって、個人情報が記載される葉書付き冊子に保護対策が講じられていることによって、利用者は、冊子を提供している企業に対して極めて良い印象を感じる。
そこで、本発明は、対象者を特定せず、冊子には金具等を一切使わず、かつ、綴じこまれた紙片はリサイクルし易く、送付される個人情報が保護シールで保護される葉書付き冊子を提供する。
【課題を解決するための手段】
【０００６】
前記課題の目的を達成するために、本発明の葉書付き冊子の請求項１に記載の発明は、葉書を含む複数の紙片が綴じ合わされた冊子であって、それぞれの紙片は、線状、または、点状に形成された接着剤によって綴じ合わされ、葉書に記載された個人情報を隠すための保護シールが前記何れかの紙片に貼付されたことを特徴とするものである。
【０００７】
また、請求項２に記載の発明は、請求項１に記載の発明において、保護シールに形成されたシール剤は、再剥離、再貼付可能な粘着剤であることを特徴とするものである。
【０００８】
また、請求項３に記載の発明は、請求項１に記載の発明において、葉書は、保護シールの1部で冊子に固定されたことを特徴とするものである。
【０００９】
また、請求項４に記載の発明は、請求項１に記載の発明において、紙片に形成された保護シールの形成構造が、ＵＶ（Ｕｌｔｒａｖｉｏｌｅｔ）またはＥＢ（Ｅｌｅｃｔｒｏｎ  Ｂｅａｍ）に代表される電離放射線硬化型インキと、水性接着剤との擬似接着構造であることを特徴とするものである。
【発明の効果】
【００１０】
１）請求項１に記載のように、葉書を含む複数の紙片が綴じ合わされた冊子であって、それぞれの紙片は、線状、または、点状に形成された接着剤によって綴じ合わされ、葉書に記載された個人情報を隠すための保護シールが前記何れかの紙片に貼付されたことによって、冊子を環境に優しい構成とすることができ、送付される葉書に記載された個人情報を保護シールによって保護することができる。
２）また、請求項２に記載のように、請求項１に記載の発明において、保護シールに形成されたシール剤は、再剥離、再貼付可能な粘着剤であることによって、葉書に容易に保護シールを貼付することができ、送る側は、個人情報を保護することができ、受け取る側は、保護シールを剥して記載内容を確認することができる。
３）また、請求項３に記載のように、請求項１に記載の発明において、葉書は、保護シールの1部で冊子に固定されたことによって、冊子を容易に作製することができる。
４）また、請求項４に記載のように、請求項１に記載の発明において、紙片に形成された保護シールの形成構造が、ＵＶ（Ｕｌｔｒａｖｉｏｌｅｔ）またはＥＢ（Ｅｌｅｃｔｒｏｎ  Ｂｅａｍ）に代表される電離放射線硬化型インキと、水性接着剤との擬似接着構造であることによって、環境に優しい材料構成とすることができ、材料のリサイクルが可能となる。
【発明を実施するための最良の形態】
【００１１】
以下、図面を参照して本発明の葉書付き冊子について説明する。
図１は、本発明の葉書付き冊子の一例について説明するための図，図２は、図１のＡ−Ａ線断面図，図３は、葉書付き冊子の他の一例について説明するための図，図４は、図３のＢ−Ｂ線断面図，図５は、葉書付き冊子の他の一例について説明するための図，図６は、図５のＣ−Ｃ線断面図である。
【００１２】
図１，図２を参照して、本発明の一実施形態である葉書付き冊子について説明する。
図１は、本発明の葉書付き冊子の一例について説明するための斜視図で、図２は、図１のＡ−Ａ線断面図である。
葉書付き冊子１は、葉書紙片１１，その他紙片１２，１３を、中央部分の綴じ合わせ部１３４で接着剤によって綴じ合わせ、中央部を内側に折り畳んで冊子状にしたものである。
葉書付き冊子１の葉書紙片１１には、中央折り曲げ部の近傍に切取りミシン１１１が形成され、左のページには保護シール１０が形成されている。
前記葉書紙片１１に形成された切取りミシン１１１で右ページを切り離すと葉書１１０が得られる。
葉書１１０には個人情報記載欄１５が設けられ、表示しないが裏面には葉書受け取り人の宛先情報が印刷されている。
【００１３】
葉書紙片１１の個人情報記載欄１５が設けてある側、および保護シール１０が貼付されている面には略全面に剥離剤（図示せず）が塗布されており、保護シール１０が剥されても、保護シールに形成されたシール剤（以下の説明では粘着剤という。）によって紙剥けしないようになっている。
前記粘着剤は、再剥離、再貼付可能な粘着剤で、保護シール１０を剥して他の場所に再貼付することができる。
個人情報記載欄１５に必要事項が記載されると、左のページの保護シール１０が剥がされて、葉書１１０の個人情報記載欄１５を隠すために貼付される。
保護シール１０が貼付されている葉書紙片１１には、保護シールの再貼付手順や、その他の情報が印刷されている。
保護シールの基材には、再貼付された時に個人情報が透けて見えないように黒色に近い色で、塗り潰しパターンや、カムフラージュ地紋が印刷される。
【００１４】
その他紙片１２，１３には、葉書付き冊子が、例えば、会員申込書のような場合は、会員の資格や、申込書（葉書）の記載方法，会員になった場合の特典，順守事項などが記載されている。
図では、葉書付き冊子の構成が３紙片構成になっているが、葉書の枚数を含め、冊子の構成枚数に拘るものではない。
【００１５】
図３，図４を参照して、本発明の葉書付き冊子の、他の一例について説明する。
図３は、葉書付き冊子２から、最下部紙片が引き剥がされた状態の斜視図で、図４は図３のＢ−Ｂ線断面図である。
図で判るように、葉書付き冊子２は、葉書紙片２１，その他紙片２２等が接着剤２１４によって１端部で綴じ合わされ、葉書付き冊子２を構成している。
それぞれの紙片には切取りミシン（２２１）が形成されているが、必ずしも形成されていなくてもよい。
この実施形態の場合は、葉書紙片部が最下部に設けてあり、葉書２１は、保護シール２０によって葉書付き冊子２の最下部紙片の端部に固定されている。
葉書２１の保護シールで固定された面には葉書の受け取り人の宛先情報が印刷され、裏面には図示しないが、個人情報記載欄が設けてある。
葉書を使用する者は、引き剥がした６枚目の葉書紙片を裏返して、１枚目のその他紙片２２から５枚目の何れかに記載された記載内容を参照しながら葉書の個人情報記載欄に必要事項に記載する。その他紙片２２などには、葉書付き冊子が、例えば、会員申込書のような場合は、会員の資格や、申込書（葉書）の記載方法，会員になった場合の特典，順守事項などが記載されている。
また、図では、その他紙片が、５枚構成になっているが、葉書の枚数を含め、冊子の構成枚数に拘るものではない。
記載が終わったら、葉書２１の記載欄の裏側に貼付されている保護シール２０を剥して個人情報記載欄に貼付して投函する。
【００１６】
図４の断面図を参照して、図３の葉書紙片部について詳しく説明する。
葉書２１は、保護シール２０によって葉書紙片の綴じ部紙片２１３と、溝２１１を隔てて固定されている。
葉書紙片の綴じ部紙片２１３には、葉書紙片を葉書付き冊子に固定していた接着剤２１４が1部残されている。
保護シール２０は、保護シール基材２０１と粘着剤２０２で構成されている。また、保護シール基材２０１には、再貼付された時に個人情報が透けて見えないように黒色に近い色で、塗り潰しパターンや、カムフラージュ地紋が印刷される。
また、葉書紙片（２１，２１３）には、両面に剥離剤２１２が形成されている。この剥離剤２１２によって、保護シール２０を葉書紙片からスムースに剥し取ることができる。
【００１７】
図４のｂ面には、葉書２１の受け取り人の宛先情報が印刷によって記載されており、保護シール２０が剥がされて、ａ面に貼付された時に表出する。
【００１８】
図５，図６を参照して、本発明の葉書付き冊子の、他の一例について説明する。
図５は、葉書，その他紙片，保護シールをロールトゥロール方式で綴じ合わされた例で、図６は図５のＣ−Ｃ線断面を表している。
図で判るように、葉書付き冊子３は、葉書紙片３１，その他紙片３２等が１端部（左端）で接着剤（図示せず）によって綴じ合わされている。
図のそれぞれの紙片には切取りミシン（３２１）が形成されているが、必要に応じて形成すればよい。
この実施形態では、製造装置の関係で保護シール３０，葉書３１，その他紙片３２が同一の長さで綴じ合わされている。即ち各紙片がロールトゥロール方式で帳合されて同一長でカットされている。図５は、スプロケットホールが形成された紙端の部分を切取った後の状態を示している。
葉書２１の保護シールで固定された面は、葉書の受け取り人の宛先情報記載欄となっており、裏面は個人情報記載欄（図示せず）となっている。
【００１９】
葉書を使用する者は、１枚目のその他紙片３２から、４枚目の何れかに記載された記載内容を参照して、剥し取った葉書の個人情報記載欄に必要事項を記載する。
保護シール３０を葉書の差出人宛先記載面から剥し取って、個人情報記載面に再貼付し、記載した個人情報が郵送中に第三者に覗かれることから保護する。
図では、その他紙片が、４枚構成になっているが、葉書の枚数を含め、冊子の構成枚数に拘るものではない。
【００２０】
図６を参照して、図５のC−C断面ついて詳しく説明する。
図６のｃ図は、図５のC−C断面部で、ｄ部は、参考のために添付した切り離されたスプロケットホール３００の部分である。
印刷されたその他紙片と、葉書紙片をロール状で丁合する場合は、各紙片ロールの上下関係がずれないようにスプロケットホール３００でガイドしながら行う。
ロールは、丁合された状態で、スプロケットホール３００部をスリッタでスリットし、除去した後で各冊子にシートカットされる。
丁合時、装置によっては、保護シールロールは剥離紙を伴った状態で丁合される場合もある。
【００２１】
保護シール３０は、保護シール基材３０２と粘着剤３０３で構成されている。
保護シール３０と葉書３１とは、粘着剤３０３によって積層されている。
保護シール３０が葉書の記載済み個人情報記載欄に貼付される際に、切取りミシン３０１の部分で切り離され、葉書から剥される。
保護シールは、一旦葉書紙片から引き剥がされた後、葉書の個人情報記載済み欄に再貼付される。
また、保護シール基材３０１には、再貼付された時に個人情報が透けて見えないように黒色に近い色で、塗り潰しパターンや、カムフラージュ地紋が印刷される。
また、図示しないが、葉書３１の両面には図４で説明した理由により剥離剤が形成されている。
【００２２】
図４を参照して、擬似接着構造に使用される粘着剤と、剥離剤について説明する。
まず、粘着剤は、剥離可能再接着可能な接着剤として、２ＥＨＡ（２エチルヘキシルアクリレート）等のガラス転移温度が低いアクリル樹脂をエマルジョン化したもの，微球タイプ（日本カーバイト社製Ｂ−７５８９），粘着剤に硬化剤を添加したタイプ，などから選択して使用する。
また、剥離剤としては、例えば、オフセットインキでは、（株）Ｔ＆Ｋ  ＴＯＫＡ社製「ＵＰ−２００」，「ＵＰ−２」のようにＵＶインキにシリコーンオイルを添加したもの，シリコーンアクリレートを添加したものなどから選択して使用する。
前記再剥離再貼付可能な粘着剤に対しては、ＵＶ型オフセットメジウムや通常のオフセットインキを使用することもできる。
またＥＢタイプのインキとしては、市販のラジカル重合性の二重結合を有するプレポリマーおよびモノマーを主成分とするインキを使用する。
【産業上の利用可能性】
【００２３】
葉書の申込書が貼付された冊子型チラシなどに広く利用できる。
【図面の簡単な説明】
【００２４】
【図１】本発明の葉書付き冊子の一例について説明するための図である。
【図２】図１のＡ−Ａ線断面図である。
【図３】本発明の葉書付き冊子の、他の一例について説明するための図である。
【図４】図３のＢ−Ｂ線断面図である。
【図５】本発明の葉書付き冊子の、他の一例について説明するための図である。
【図６】図５のＣ−Ｃ線断面図である。
【符号の説明】
【００２５】
１，２，３  葉書付き冊子
１０，２０，３０  保護シール
１１，２１，３１  葉書
１２，１３，２２，３２  その他紙片
１５    個人情報
１１１，２２１，３０１，３２１  切取りミシン
１３４  綴じ合わせ部
２０１，３０２  保護シール基材
２０２，３０３  粘着剤（粘着剤層）
２１１  溝
２１２  剥離剤（剥離剤層）
２１３  綴じ部紙片
３００  スプロケットホール
２１４  接着剤
ａ      個人情報記載面
ｂ      受け取り人宛先情報記載面
【図１】
2006007722.tif 000003
【図２】
2006007722.tif 000004
【図３】
2006007722.tif 000005
【図４】
2006007722.tif 000006
【図５】
2006007722.tif 000007
【図６】
2006007722.tif 000008